(57)【特許請求の範囲】
【請求項１】
容器本体内部に内容物が陽圧の状態で保存され、容器本体の開口部を密閉する蓋体に開口用タブによって破断される開口用スコアが形成された易開封の容器において、
前記容器本体内の蓋体と内容物の間にガスの流通を許容し内容物の流通を阻止するフィルタを配置し、前記容器本体の胴部には前記フィルタを取り付けるための半径方向外方に向かって張り出す凸部を設け、該凸部内周に形成される取付凹部に前記フィルタの外径端部を係合し、前記フィルタに中心部まで１本のスコアを入れた構成で、
前記フィルタが、弾力性を有する枠体と、この枠体に取り付けられるフィルタ材とを備え、枠体は、円形の外枠と、この外枠を支持するリブと、から構成され、フィルタのリブの中心部には指でつまむための円形状の突起が取り付けられ、さらに、前記取付凹部が円弧状となっていることを特徴とする吹き出し防止容器。
【請求項２】
容器本体は金属缶であり、金属缶の開口端に蓋体が巻締固定される請求項１に記載の吹き出し防止容器。
【発明の詳細な説明】
【０００１】
【発明の属する技術分野】
本発明は、容器内が陽圧化する内容物が保存される易開封の容器に関し、特に初期開封時の内容物の飛び散りを防止する吹き出し防止容器に関する。
【０００２】
【従来の技術】
ガス置換した粉末レギュラーコーヒーや液体窒索を充填した飲料が内容物の場合、保存中ガスが発生して容器内が陽圧となる。容器が易開封容器の場合、蓋体形成した開口用スコアを開口用タブによって破断して開封されるが、勢いよく開封したり、振とうした後で直ちに開封すると、開口用タブで初期破断をしたとたんに、破断した隙間から内容物が勢いよく噴出し周辺を汚すことがある。
【０００３】
このような吹きこぼれを防止するために、従来は、初期破断される開口用タブの固定部周辺にフィルタや濾紙を取り付け、初期開封時にガスのみ逃がして内容物の吹き出しを防止する提案がなされていた（たとえば、実開昭６３−１４４４２８号公報や特開平３−１３３７４４号公報参照）。
【０００４】
【発明が解決しようとする課題】
しかしながら上記した従来の吹き出し防止容器の場合には、開口用タブをゆっくり持ち上げる場合は内容物の吹き出しを防止できるものの、勢いよく開口用タブを持ち上げるとフィルタからガスが抜けきれない内にフィルタと蓋体間に隙間が生じる。この隙間から内容物が吹き出し、フィルタを付けた効果が失われてしまうという問題があった。
【０００５】
一方、容器内に内蓋を内装し、内容物の吹き出しを防止する技術も提案されている（実用新案登録第２５１０２８４号参照）。この内蓋は容器本体の胴部内周に弾力性によって嵌合し、上面はテーパ形状としてセーフガード用の凸部に係合させるように構成されていた。
しかし、内蓋を直線的な胴部内周に嵌合しているだけなので、取付位置がずれやすく、落下や輸送時の衝撃によって内蓋が斜めになって胴部の間に部分的に隙間が生じ、内容物が吹き出す可能がある。
【０００６】
本発明は上記した従来技術の問題点を解決するためになされたもので、その目的とするところは、容器本体内に内装するフィルタによって内容物の吹き出しを防止し、しかもフィルタを安定して支持できる吹き出し防止容器を提供することにある。
【０００７】
【課題を解決するための手段】
上記目的を達成するために、本発明にあっては、容器本体内部に内容物が陽圧の状態で保存され、容器本体の開口部を密閉する蓋体に開口用タブによって破断される開口用スコアが形成された易開封の容器において、
前記容器本体内の蓋体と内容物の間にガスの流通を許容し内容物の流通を阻止するフィルタを配置し、前記容器本体の胴部には前記フィルタを取り付けるための半径方向外方に向かって張り出す凸部を設け、該凸部内周に形成される取付凹部に前記フィルタの外径端部を係合し、前記フィルタに中心部まで１本のスコアを入れた構成で、
前記フィルタが、弾力性を有する枠体と、この枠体に取り付けられるフィルタ材とを備え、枠体は、円形の外枠と、この外枠を支持するリブと、から構成され、フィルタのリブの中心部には指でつまむための円形状の突起が取り付けられ、さらに、前記取付凹部が円弧状となっていることを特徴とする。
容器本体は金属缶であり、金属缶の開口端に蓋体が巻締固定されることが好適である。
【０００８】
【発明の実施の形態】
以下に本発明を図示の実施の形態に基づいて説明する。
図１は、本発明の実施の形態に係る吹き出し防止容器を示している。
すなわち、この吹き出し防止容器１は、容器本体２内部に内容物６が陽圧の状態で保存され、容器本体２の開口部を密閉する金属製の蓋体３に開口用タブ４によって破断される開口用スコア５が形成されている。
容器本体２は有底円筒形状の金属缶で、円筒状の胴部２１と、胴部２１の下端を閉塞する底部２２とから構成され、胴部２１上端に蓋体３が巻締固定されている。蓋体３は全面開口用で、開口用スコア５が蓋体３の周縁に沿って全周的に形成され、開口用タブ４が開口用スコア５に囲まれる開口予定部３０にリベット４２によって固定されている。開口用タブ４は、リベット４２に対して開口用スコア５側に延びるタブノーズ４１と、開口用スコア５と反対側に延びる指掛け孔を備えた指掛け部４３とを備えている。
【０００９】
そして容器本体２内の蓋体３と内容物６の間には、ガスの流通を許容し内容物６の流通を阻止するフィルタ７が配置されている。
フィルタ７は、容器本体２内の内容物６を覆うように胴部２１断面全体を遮蔽するもので、図２に示すように、弾力性を有する枠体７１と、この枠体７１に取り付けられるフィルタ材７２とを備えた構成となっている。枠体７１の材質としては、たとえば、ポリエチレンやポリプロピレン等を用いることができる。フィルタ材７２としては、枠体７１と同様のポリエチレンやポリプロピレン、その他、和紙，ナイロン等種々の材料を用いることができる。枠体７１は、円形の外枠７１ａと、この外枠７１ａを支持するリブ７１ｂと、から構成されている。リブ７１ｂは中心から放射状、図示例では十字状に延びている。
フィルタ７の中央部には指でつまむための円形状の突起７３が取り付けられている。突起７３はリブ７１ｂの中心部に突設されている。
【００１０】
一方、容器本体２の胴部２１には、フィルタ７を取り付けるための半径方向外方に向かって張り出す環状の凸部８が設けられ、この凸部８内周に形成される取付凹部８１に前記フィルタ７の外径端部（外枠７１ａ部分）が係合する構成となっている。
凸部８は薄肉の胴部２１を外方に円弧形状に膨らませた形状で、凸部８内周の取付凹部８１の断面形状も円弧形状となっている。凸部８の幅はフィルタ７の肉厚よりも数倍大きく、フィルタ７の外径端は凸部８の最大径部に係合している。
【００１１】
フィルタ７は、密封後の取り扱いや、輸送・落下などにより取付凹部８１から外れないことが重要であり、そのためには、凸部８の直径Ｄ１と胴部２１の直径Ｄ０の寸法差Ｘが重要となる。すなわち、フィルタ７の直径は凸部８の直径Ｄ１とほぼ同一であり、寸法差Ｘはフィルタ７と取付凹部８１との係合代に対応し、凸部８の直径Ｄ１を缶胴２１の直径Ｄ０より少なくとも＋３ｍｍ、望ましくは＋５〜６ｍｍ程度大きくすることが望ましい。
凸部８の径Ｄ１が大きくなり過ぎると、フィルタ７を凸部８内周の取付凹部８１にはめ込みにくくなったり、はずしにくいなどの弊害があるため、少なくとも＋１０ｍｍ以内とすることが好ましい。
なお、フィルタ７を凸部８に取り付けやすくするため、図２に二点鎖線で示すように、フィルタ７に中心部まで１本のスコア７４を入れ、胴部２１から凸部８まで押し込むときに容易に径が収縮するように構成してもよい。
【００１２】
内容物の充填から密封までの製造工程は次の通りである。
１）空の容器本体２に開口部から内容物６を充填する。
２）フィルタ７を開口部から容器本体２内に挿入し、容器本体２の缶胴２１の凸部８内周の取付凹部８１にはめ込む。
取付凹部８１は円弧状となっているので、フィルタ７を取付凹部８１の位置まで押し込むと、フィルタ７の外径端はその弾力性によって自動的に取付凹部８１の最大径部に落ち着く。
フィルタ７は凸部８内周の取付凹部８１内に係合しているので、輸送時や落下による衝撃が加わった程度では、取付凹部８１から抜けない。
３）フルオープン用の蓋体３を容器開口部に巻き締める。
この時、内容物の酸化を防止するため、容器内の酸素を除去することが望ましい。この時の工程は、巻き締め前の工程でガスフローや粉未状のドライアイスなどを使用する。
【００１３】
次に吹き出し防止容器の開封作業について説明する。
すなわち、図３（Ａ）に示すように、開口用タブ４を引き起こすと、開口用タブ４のタブノーズ４１によって開口用スコア５が初期破断され、開口隙間３１から容器本体２内のガスが外部に抜ける。このとき、内容物中のガスも抜けるため気流によって内容物６が飛散するが、舞い散った内容物６はフィルタ７に捕捉され、ガスのみが抜けて内容物の吹き出しが防止される。
開口用タブ４を引っ張り上げて蓋体３を破断した後に、容器内のフィルタ７を取り出す。取り出す際には中央の突起７３をつまみ、上方に引っ張り上げる。引っ張り上げるとフィルタ７の外径が収縮するように変形して取付凹部８１から抜け出し、さらに蓋体３の全面開口部３２から外部に取り出される。取付凹部８１が円弧状となっているので、フィルタ７の取り外しの際にフィルタ７の外端部が徐々に収縮し、スムーズに抜くことができる。
【００１４】
なお、蓋体３の切断面を保護するために、蓋体に保護用のビード（図示せず）を設けておくことが望ましい。このようにすれば、フィルタ７を全面開口部３２から抜き出す際に、フィルタが全面開口部の切断面に当接せず、ビードをガイドとしフィルタ７をスムースに抜き出すことができる。
【００１５】
なお、上記実施の形態では容器本体２が金属缶の場合について説明したが、金属缶だけでなく、ガラス瓶などの剛性容器についても適用可能である。
また、凸部の形状として断面円弧形状とした場合について説明したが、円弧形状に限定されるものではなく、三角形状、台形状、四角形状等種々の形状とすることができる。
【００１６】
【発明の効果】
以上説明したように、本発明によれば、容器本体内に内容物を覆うフィルタを装着したので、急激に開封したとしても、フィルタを通してガスのみが抜け、内容物の吹き出しが防止される。また、フィルタを容器本体の胴部に設けた凸部内周に形成される取付凹部に装着したので、輸送時や落下による衝撃が加わっても脱落せず、吹き出し防止機能を損なうことがない。さらに、フィルタにスコアを入れたので、フィルタを胴部から凸部まで押し込むときに容易に径が収縮し、フィルタを凸部に取り付けやすい。
また、フィルタを、弾力性を有する枠体と、この枠体に取り付けられるフィルタ材とを備えた構成とし、枠体を、円形の外枠と、この外枠を支持するリブと、から構成し、フィルタのリブの中心部には指でつまむための円形状の突起を設けているので、中央の突起をつまみを引っ張り上げるとフィルタの外径に位置する枠体を収縮する方向に変形し、取付凹部から抜き出すことができる。また、取付凹部が円弧状となっているので、外枠が徐々に収縮し、スムーズに抜くことができる。
【図面の簡単な説明】
【図１】図１（Ａ）は本発明の実施の形態に係る吹き出し容器の一部破断斜視図、同図（Ｂ）は同図（Ａ）の容器の要部断面図である。
【図２】図２は図１の容器のフィルタの平面図である。
【図３】図３（Ａ）は図１の容器の初期破断状態の要部断面図、同図（Ｂ）は開封後フィルタを取り外す際の要部断面図である。
【符号の説明】
１  吹き出し防止容器
２  容器本体、２１  胴部、２２  底部
３  蓋体 、３０  開口予定部、３１  開口隙間、３２  全面開口部
４  開口用タブ、４１  タブノーズ、４２  リベット
５  開口用スコア
６  内容物
７  フィルタ、７１  枠体、７２  フィルタ材、７３  突起、７４  スリット
８  凸部、８１  取付凹部
【図１】
0004023186.tif 000002
【図２】
0004023186.tif 000003
【図３】
0004023186.tif 000004